(57)【特許請求の範囲】
【請求項１】
複数のノードが光ファイバを介して接続されたデータ伝送網と、前記データ伝送網に連携する制御ネットワークとを有し、隣接ノード間での波長分散量の測定結果に基づいて、複数のノードを中継する１つの光パスの波長分散量が零となるように分散補償を行って通信制御を行うにあたり、前記波長分散量の測定をノード間単位、および光パス単位の二段階で行う光伝送システムであって、
前記複数のノードのそれぞれは、
ノード間の波長分散量の測定を行う際に、前記光ファイバで接続された隣接ノードの中から１つの測定対象隣接ノードを選択する選択手段と、
前記選択手段で選択された前記測定対象隣接ノードとの間の波長分散量を測定する１つの波長分散量測定部と、
前記制御ネットワークを介した前記測定対象隣接ノードとの通信に基づいて、前記選択手段を測定対象隣接ノードに選択設定して測定パスを確立させ、前記波長分散量測定部に対して波長分散量の測定を指示し、測定完了後に前記選択手段の選択設定を解除するノード制御部と
を備え、
前記ノード間単位における波長分散量の測定による第一段階においては、前記複数のノードのそれぞれの前記ノード制御部は、測定対象隣接ノードの選択を順次切り替えることで、自身のノードに隣接するすべての隣接ノードとの間の波長分散量を順次測定して自ノード波長分散量管理テーブルを作成し、前記制御ネットワークを介して前記自ノード波長分散量管理テーブルの情報をシステム内の他のすべてのノードへ通知するとともに、システム内の他のすべてのノードから通知されたそれぞれの自ノード波長分散量管理テーブルの情報と自身の自ノード波長分散量管理テーブルの情報とを統合して全ノード波長分散量管理テーブルを作成し、
光パス単位における波長分散量の測定による第二段階においては、前記複数のノードのそれぞれは、前記全ノード波長分散量管理テーブルの情報に基づいて、前記複数のノードのうち前記光伝送システムの始点のエッジ部分に位置する始点エッジノードから終点のエッジ部分に位置する終点エッジノードまでの光パスのうちの空いているパスの中から、波長分散量の合計である累積波長分散量が最小となる光パスを最適な光パスとして選択し、選択した前記最適な光パスを測定用の光パスとして設定することで前記始点エッジノードから前記終点エッジノードまでの詳細な波長分散量を測定し、測定した前記詳細な波長分散量が零となるように分散補償を行って前記最適な光パスを用いた通信制御を行う
ことを特徴とする光伝送システム。
【請求項２】
請求項１に記載の光伝送システムにおいて、
前記ノード制御部は、ノード立ち上げ時に、すべての隣接ノードの中から１つの測定対象隣接ノードを順次選択して前記波長分散量計測手段に波長分散量の計測を実行させることにより、前記すべての隣接ノードとの間の波長分散量を順次取得することを特徴とする光伝送システム。
【請求項３】
請求項１に記載の光伝送システムにおいて、
前記ノード制御部は、システム内の他のノードとの接続状態を定期的に監視して隣接ノードを確認し、前記接続状態に変化が生じた際には、接続状態変化後のすべての隣接ノードの中から１つの測定対象隣接ノードを順次選択して前記波長分散量計測手段に波長分散量の計測を実行させることにより、前記すべての隣接ノードとの間の波長分散量を順次取得することを特徴とする光伝送システム。
【請求項４】
複数のノードが光ファイバを介して接続されたデータ伝送網と、前記データ伝送網に連携する制御ネットワークとを有し、隣接ノード間での波長分散量の測定結果に基づいて、複数のノードを中継する１つの光パスの波長分散量が零となるように分散補償を行って通信制御を行うにあたり、前記波長分散量の測定をノード間単位、および光パス単位の二段階で行う光伝送システムの光伝送方法であって、
第１のノードと第２のノード間の波長分散量の測定を行う際に、
前記第１のノードから前記第２のノードに対して、前記制御ネットワークを介して波長分散量測定リクエストを送信するステップと、
前記波長分散量測定リクエストに応じて前記第２のノードから前記第１のノードに対して、前記制御ネットワークを介して波長分散量測定ＯＫレスポンスを送信するステップと、
前記波長分散量測定ＯＫレスポンスに応じて、前記第１のノード内において、前記第１のノードに接続された隣接ノードの中から前記第２のノードを選択して測定パスを確立するステップと、
前記第１のノードから前記第２のノードに対して、前記制御ネットワークを介して波長分散量測定開始リクエストを送信するステップと、
前記波長分散量測定開始リクエストに応じて、前記第２のノード内において、前記第２のノードに接続された隣接ノードの中から前記第１のノードを選択して測定パスを確立するステップと、
前記第２のノードから前記第１のノードに対して、前記制御ネットワークを介して波長分散量測定開始ＯＫレスポンスを送信するステップと、
前記波長分散量測定開始ＯＫレスポンスに応じて前記第１のノードから前記第２のノードに対して、前記第１のノードおよび前記第２のノード間の光ファイバを介して波長分散量測定用の信号パターンを送信するステップと、
前記第２のノードにおいて、受信した前記信号パターンに基づいて波長分散量を計測するステップと、
前記第２のノードから前記第１のノードに対して、前記制御ネットワークを介して、計測した前記波長分散量を送信するステップと、
前記第２のノードで計測された前記波長分散量の受信に応じて、前記第１のノード内において、前記第２のノードとの間の測定パスを解除するステップと、
前記第１のノードから前記第２のノードに対して、前記制御ネットワークを介して波長分散量測定完了リクエストを送信するステップと、
前記波長分散量測定完了リクエストに応じて、前記第２のノード内において、前記第１のノードとの間の測定パスを解除するステップと、
前記第２のノードから前記第１のノードに対して、前記制御ネットワークを介して波長分散量測定完了ＯＫレスポンスを送信するステップと
を備え、
前記ノード間単位における波長分散量の測定による第一段階において、前記複数のノードのそれぞれは、
測定対象隣接ノードの選択を順次切り替えることで、自身のノードに隣接するすべての隣接ノードとの間の波長分散量を順次測定して自ノード波長分散量管理テーブルを作成するステップと、
前記前記自ノード波長分散量管理テーブルの情報を前記制御ネットワークを介してシステム内の他のすべてのノードへ通知するステップと、
システム内の他のすべてのノードから通知されたそれぞれの自ノード波長分散量管理テーブルの情報と自身の自ノード波長分散量管理テーブルの情報とを統合して全ノード波長分散量管理テーブルを作成するステップと
を備え、
光パス単位における波長分散量の測定による第二段階において、前記複数のノードのそれぞれは、
前記全ノード波長分散量管理テーブルの情報に基づいて、前記複数のノードのうち前記光伝送システムの始点のエッジ部分に位置する始点エッジノードから終点のエッジ部分に位置する終点エッジノードまでの光パスのうちの空いているパスの中から、波長分散量の合計である累積波長分散量が最小となる光パスを最適な光パスとして選択するステップと、
選択した前記最適な光パスを測定用の光パスとして設定することで前記始点エッジノードから前記終点エッジノードまでの詳細な波長分散量を測定するステップと、
測定した前記詳細な波長分散量が零となるように分散補償を行って前記最適な光パスを用いた通信制御を行うステップと
を備える
ことを特徴とする光伝送システムの光伝送方法。
【発明の詳細な説明】
【技術分野】
【０００１】
本発明は、複数のノードが光ファイバを介して接続されるデータ伝送網と、データ伝送網に連携する制御ネットワークとを有する光伝送システムおよび光伝送方法に関する。
【背景技術】
【０００２】
現在の光ネットワークでは、光ファイバの分散によって生じる信号の歪みを補償するために、事前の詳細設計（具体的には、ノード間の波長分散量の測定結果）に基づいて、隣接ノード間の波長分散量に応じた分散補償ファイバを、各ノードに搭載している。つまり、すべての隣接ノード間で、波長分散量が零となるように分散補償を行っていることになる。
【０００３】
しかしながら、このような補償においては、複数のノードを中継していく１つの光パスに対して、リンク単位（ここでは、ノード間をリンクと呼んでいる）に複数回の分散補償を行っていることとなり、分散補償コストが多大となる。
【０００４】
そのため、各ノード間（リンク単位）の波長分散量を測定し、その情報をノード間で交換、あるいは波長分散量管理サーバに通知して、リンク単位の波長分散量を累積することにより、光パス全体の波長分散量を求めているものがある（例えば、特許文献１、２参照）。
【０００５】
その結果、複数のノードを中継する１つの光パスに対しては、累積した波長分散量を補償するための分散補償だけを行えばよいため、リンク単位に分散補償するよりも、分散補償コストが低減できる。
【０００６】
【特許文献１】特開２００３−１２１３０３号公報
【特許文献２】特開２００４−２７４２３８号公報
【発明の開示】
【発明が解決しようとする課題】
【０００７】
しかしながら、従来技術には次のような課題がある。今後、ビットレートが高速化（たとえば、１０Ｇｂ／ｓから、４０Ｇｂ／ｓ〜１６０Ｇｂ／ｓに高速化）すると、より高精度な分散補償が必要となってくる。そこで、ノードが収容しているリンクの数と同じだけ、波長分散量を測定する機能を実現しようとすると、高精度で高価な波長分散量を測定する機能が、リンクの数だけ必要となり、光伝送システム全体のコストが高くなるといった問題が生じる。
【０００８】
また、たとえリンク単位に高精度な波長分散量を測定したとしても、リンク単位の波長分散量を累積する過程で、その誤差も累積されてしまう。また、リンク単位の測定では、光パスの中継ノードにおいて、リンク間をクロスコネクトするために挿入される光スイッチ等の光デバイス等の波長分散量も無視できない。また、ネットワーク建設時や網構成変更時に、新たなリンクの波長分散量を自動的に測定できないと、新たなリンクを使用した光パスの設定ができないこととなる。
【０００９】
本発明は上述のような課題を解決するためになされたもので、リンク単位の波長分散量の測定の低コスト化を実現する光伝送システムおよび光伝送方法を得ることを目的とする。
【課題を解決するための手段】
【００１０】
本発明に係る光伝送システムは、複数のノードが光ファイバを介して接続されたデータ伝送網と、データ伝送網に連携する制御ネットワークとを有し、隣接ノード間での波長分散量の測定結果に基づいて、複数のノードを中継する１つの光パスの波長分散量が零となるように分散補償を行って通信制御を行うにあたり、波長分散量の測定をノード間単位、および光パス単位の二段階で行う光伝送システムであって、複数のノードのそれぞれは、ノード間の波長分散量の測定を行う際に、光ファイバで接続された隣接ノードの中から１つの測定対象隣接ノードを選択する選択手段と、選択手段で選択された測定対象隣接ノードとの間の波長分散量を測定する１つの波長分散量測定部と、制御ネットワークを介した測定対象隣接ノードとの通信に基づいて、選択手段を測定対象隣接ノードに選択設定して測定パスを確立させ、波長分散量測定部に対して波長分散量の測定を指示し、測定完了後に選択手段の選択設定を解除するノード制御部とを備え、ノード間単位における波長分散量の測定による第一段階においては、複数のノードのそれぞれのノード制御部は、測定対象隣接ノードの選択を順次切り替えることで、自身のノードに隣接するすべての隣接ノードとの間の波長分散量を順次測定して自ノード波長分散量管理テーブルを作成し、制御ネットワークを介して自ノード波長分散量管理テーブルの情報をシステム内の他のすべてのノードへ通知するとともに、システム内の他のすべてのノードから通知されたそれぞれの自ノード波長分散量管理テーブルの情報と自身の自ノード波長分散量管理テーブルの情報とを統合して全ノード波長分散量管理テーブルを作成し、光パス単位における波長分散量の測定による第二段階においては、複数のノードのそれぞれは、全ノード波長分散量管理テーブルの情報に基づいて、複数のノードのうち光伝送システムの始点のエッジ部分に位置する始点エッジノードから終点のエッジ部分に位置する終点エッジノードまでの光パスのうちの空いているパスの中から、波長分散量の合計である累積波長分散量が最小となる光パスを最適な光パスとして選択し、選択した最適な光パスを測定用の光パスとして設定することで始点エッジノードから終点エッジノードまでの詳細な波長分散量を測定し、測定した詳細な波長分散量が零となるように分散補償を行って最適な光パスを用いた通信制御を行うものである。
【００１１】
また、本発明に係る光伝送システムの光伝送方法は、複数のノードが光ファイバを介して接続されたデータ伝送網と、データ伝送網に連携する制御ネットワークとを有し、隣接ノード間での波長分散量の測定結果に基づいて、複数のノードを中継する１つの光パスの波長分散量が零となるように分散補償を行って通信制御を行うにあたり、波長分散量の測定をノード間単位、および光パス単位の二段階で行う光伝送システムの光伝送方法であって、第１のノードと第２のノード間の波長分散量の測定を行う際に、第１のノードから第２のノードに対して、制御ネットワークを介して波長分散量測定リクエストを送信するステップと、波長分散量測定リクエストに応じて第２のノードから第１のノードに対して、制御ネットワークを介して波長分散量測定ＯＫレスポンスを送信するステップと、波長分散量測定ＯＫレスポンスに応じて、第１のノード内において、第１のノードに接続された隣接ノードの中から第２のノードを選択して測定パスを確立するステップと、第１のノードから第２のノードに対して、制御ネットワークを介して波長分散量測定開始リクエストを送信するステップと、波長分散量測定開始リクエストに応じて、第２のノード内において、第２のノードに接続された隣接ノードの中から第１のノードを選択して測定パスを確立するステップと、第２のノードから第１のノードに対して、制御ネットワークを介して波長分散量測定開始ＯＫレスポンスを送信するステップと、波長分散量測定開始ＯＫレスポンスに応じて第１のノードから第２のノードに対して、第１のノードおよび第２のノード間の光ファイバを介して波長分散量測定用の信号パターンを送信するステップと、第２のノードにおいて、受信した信号パターンに基づいて波長分散量を計測するステップと、第２のノードから第１のノードに対して、制御ネットワークを介して、計測した波長分散量を送信するステップと、第２のノードで計測された波長分散量の受信に応じて、第１のノード内において、第２のノードとの間の測定パスを解除するステップと、第１のノードから第２のノードに対して、制御ネットワークを介して波長分散量測定完了リクエストを送信するステップと、波長分散量測定完了リクエストに応じて、第２のノード内において、第１のノードとの間の測定パスを解除するステップと、第２のノードから第１のノードに対して、制御ネットワークを介して波長分散量測定完了ＯＫレスポンスを送信するステップとを備え、ノード間単位における波長分散量の測定による第一段階において、複数のノードのそれぞれは、測定対象隣接ノードの選択を順次切り替えることで、自身のノードに隣接するすべての隣接ノードとの間の波長分散量を順次測定して自ノード波長分散量管理テーブルを作成するステップと、自ノード波長分散量管理テーブルの情報を制御ネットワークを介してシステム内の他のすべてのノードへ通知するステップと、システム内の他のすべてのノードから通知されたそれぞれの自ノード波長分散量管理テーブルの情報と自身の自ノード波長分散量管理テーブルの情報とを統合して全ノード波長分散量管理テーブルを作成するステップとを備え、光パス単位における波長分散量の測定による第二段階において、複数のノードのそれぞれは、全ノード波長分散量管理テーブルの情報に基づいて、複数のノードのうち光伝送システムの始点のエッジ部分に位置する始点エッジノードから終点のエッジ部分に位置する終点エッジノードまでの光パスのうちの空いているパスの中から、波長分散量の合計である累積波長分散量が最小となる光パスを最適な光パスとして選択するステップと、選択した最適な光パスを測定用の光パスとして設定することで始点エッジノードから終点エッジノードまでの詳細な波長分散量を測定するステップと、測定した詳細な波長分散量が零となるように分散補償を行って最適な光パスを用いた通信制御を行うステップとを備えるものである。
【発明の効果】
【００１２】
本発明によれば、コアノードに選択手段に相当する光スイッチを搭載し、波長分散量を測定すべき所望のノードを選択できる結果、波長分散量を測定する波長分散量測定部は、ノードに１つだけ備えるだけでよく、リンク単位の波長分散量の測定の低コスト化を実現する光伝送システムおよび光伝送方法を得ることができる。
【発明を実施するための最良の形態】
【００１３】
以下、本発明の光伝送システムの好適な実施の形態につき図面を用いて説明する。
なお、本発明においては、光通信のＥｎｄ−ｔｏ−Ｅｎｄ間（送信端と受信端）を光パスと呼び、その途中のエッジノード、コアノードからなるノード群のノード間をリンクと呼んでいる。
【００１４】
実施の形態１．
図１は、本発明の実施の形態１における光伝送システムの構成図である。この図１において、エッジノード１、２は、光伝送システムのエッジ部分に位置するノードである。また、コアノード３、４、５は、光伝送システムのコア部分に位置するノードである。そして、エッジノード１、２およびコアノード３、４、５は、光ファイバ６ａ〜６ｅを介して、図１に示すように接続され、光伝送システムのデータ伝送網を構成している。
【００１５】
クライアント装置７、８は、光伝送システムのデータ伝送網のエッジ部分に位置するエッジノード１、２にそれぞれ接続される装置であり、実際には、ルータあるいはスイッチ等に相当する。さらに、制御ネットワーク９は、各ノードおよびクライアント装置７、８に接続され、相互に必要なデータを送受信して光伝送システムの制御を可能とするネットワークである。
【００１６】
次に、エッジノード１、２の詳細構成について説明する。図２は、本発明の実施の形態１におけるエッジノードの詳細構成図である。エッジノードの代表として、エッジノード１の構成を示しているが、エッジノード２も同様の構成を有することとなる。
【００１７】
図２において、エッジノード１は、クライアント収容部１１、波長分散量測定部１２、光合分波器１３、およびノード制御部１４で構成される。また、図示していないが、エッジノード２は、同様に、クライアント収容部２１、波長分散量測定部２２、光合分波器２３、およびノード制御部２４で構成されることとなる。
【００１８】
クライアント収容部１１は、クライアント装置７を収容し、所望の光信号により光伝送システム内の相手ノードと通信する。波長分散量測定部１２は、必要に応じて、相手ノードとの間の波長分散量の測定を行う。
【００１９】
光合分波器１３は、クライアント収容部１１および波長分散量測定部１２から送信される異なる波長の光信号を、光ファイバ６ａへ合波する、あるいは、逆に光ファイバ６ａ内を伝搬してきた複数波長の光信号を、波長ごとにクライアント収容部１１を介してクライアント装置７へ、そして波長分散量測定部１２へ分波する。
【００２０】
さらに、ノード制御部１４は、制御ネットワーク９に接続され、接続先である他のノードおよびクライアント装置７、８とデータの送受信を行うとともに、エッジノード１の統括制御を行う。
【００２１】
次に、コアノード３、４、５の詳細構成について説明する。図３は、本発明の実施の形態１におけるコアノードの詳細構成図である。コアノードの代表として、コアノード３の構成を示しているが、コアノード４、５も同様の構成を有することとなる。
【００２２】
図３において、コアノード３は、光スイッチ３１、波長分散量測定部３２、光合分波器３３、およびノード制御部３４で構成される。また、図示していないが、コアノード４は、同様に、光スイッチ４１、波長分散量測定部４２、光合分波器４３、およびノード制御部４４で構成され、コアノード５も、同様に、光スイッチ５１、波長分散量測定部５２、光合分波器５３、およびノード制御部５４で構成される。ここで光スイッチ３１、４１、５１は選択手段に相当する。
【００２３】
コアノード３は、図１に示したように、クライアント装置７、８とは直接接続されず、エッジノード１およびコアノード４、５と光ファイバ６ａ、６ｂ、６ｃを介してそれぞれ接続されている。
【００２４】
光スイッチ３１は、光合分波器３３で分波された光信号を交換するとともに、波長分散量測定部３２からの光信号を所望の光ファイバへ入れるための選択手段である。波長分散量測定部３２は、コアノード３内に１つ存在し、波長分散量を測定する。光合分波器３３は、光ファイバ単位に存在し、光信号を対応する光ファイバに合波する、あるいは対応する光ファイバを介した光信号を分波する。
【００２５】
従って、コアノード３内の波長分散量測定部３２は、エッジノード１との接続に用いられる光ファイバ６ａの波長分散量、コアノード４との接続に用いられる光ファイバ６ｂの波長分散量、そしてコアノード５との接続に用いられる光ファイバ６ｃの波長分散量を、光スイッチ３１の切り換え動作により、１台で計測する。さらに、ノード制御部３４は、制御ネットワーク９に接続され、接続先である他のノードおよびクライアント装置７、８とデータの送受信を行うとともに、コアノード３の統括制御を行う。
【００２６】
次に、全体動作について説明する。あらかじめ各ノードには、制御ネットワーク９を介して、隣接ノードと通信するための情報（たとえばＩＰアドレス等）が設定されているものとする。たとえば、コアノード３には、隣接ノードとしてエッジノード１、コアノード４、コアノード５の情報が設定されている。
【００２７】
各ノードは、ノード間の光ファイバの波長分散量を測定するため、制御ネットワークを介して、隣接ノードへの波長分散量測定リクエストを送信する。波長分散量測定リクエストを受信したノードは、波長分散量を測定可能な状態であれば、波長分散量測定ＯＫレスポンスを返信する。波長分散量を測定可能な状態でない場合、たとえば、他のノードとの間で波長分散量の測定中の場合には、波長分散量測定ＮＧレスポンスを返信する。
【００２８】
このような一連の測定手順を、コアノード３が、コアノード４との間の光ファイバ６ｂの波長分散量を測定する場合を例に、具体的に説明する。図４は、本発明の実施の形態１におけるコアノード間の波長分散量の測定手順を示した図であり、コアノード３、４間における測定手順を例示している。
【００２９】
各ノード間におけるこの測定手順は、それぞれのノードのノード制御部が制御ネットワーク９を介して行うこととなる。以下の説明においては、コアノード３のノード制御部３４とコアノード４のノード制御部４４との相互処理が中心となるが、説明を簡略化するために、ノード制御部の記載を省いてコアノード３およびコアノード４と記載して説明する。
【００３０】
まず始めに、コアノード３は、波長測定量を測定したいタイミングにおいて、コアノード４に対して波長分散量測定リクエストを送信する（ステップＳ４０１）。コアノード４は、他のノードと波長分散量の測定をしておらず、波長分散量の測定が可能な状態であれば、波長分散量測定ＯＫレスポンスをコアノード３に返信する（ステップＳ４０２）。
【００３１】
このレスポンスを受けたコアノード３は、波長分散量測定部３２を光ファイバ６ｂに接続するように光スイッチ３１を設定する（ステップＳ４０３）。さらに、コアノード３は、波長分散量測定開始リクエストをコアノード４へ送信する（ステップＳ４０４）。
【００３２】
波長分散量測定開始リクエストを受信したコアノード４は、コアノード３のスイッチング動作と同様に、波長分散量測定部４２を、光ファイバ６ｂに接続するように光スイッチ４１を設定する（ステップＳ４０５）。さらに、コアノード４は、測定開始設定を行い、波長分散量測定開始ＯＫレスポンスを返信する（ステップＳ４０６）。
【００３３】
次に、波長分散量測定開始ＯＫレスポンスを受信したコアノード３は、波長分散量測定部３２を制御して、コアノード４との間の光ファイバ６ｂの波長分散量の測定を開始する（ステップＳ４０７）。
【００３４】
波長分散量の測定は、たとえば、測定用の固定波長Ｌ１と、測定用の固定波長Ｌ２を使用し、特定の信号パターンを、光ファイバ６ｂを介して同時に送信し、受信側の波長分散量測定部４２で、その信号パターンの受信時間差を測定することにより実施する。従って、このステップＳ４０７の処理だけは、制御ネットワーク９ではなく、光ファイバ６ｂを介して行うこととなる。
【００３５】
コアノード４の波長分散量測定部４２によって測定された波長分散量は、波長分散量測定結果通知メッセージとして、制御ネットワーク９を介してコアノード３へ通知される（ステップＳ４０８）。
【００３６】
コアノード３は、波長分散量測定結果通知メッセージを受信すると、波長分散量の測定が完了したものと判断し、光スイッチ３１を設定して、波長分散量測定部３２と光ファイバ６ｂとの接続を解除する（ステップＳ４０９）。さらに、コアノード３は、波長分散量測定完了リクエストをコアノード４に送信する（ステップＳ４１０）。
【００３７】
コアノード４は、波長分散量測定完了リクエストを受信すると、コアノード３のスイッチング動作と同様に、光スイッチ４１を設定して、波長分散量測定部４２と光ファイバ６ｂとの接続を解除する（ステップＳ４１１）。さらに、コアノード４は、コアノード３に対して、波長分散量測定完了ＯＫレスポンスを送信する（ステップＳ４１２）。
【００３８】
このような一連の処理により、コアノード３とコアノード４は、光スイッチの切り換え動作と連動して、ノード内に１台設けられた波長分散量測定部を用いて、両ノード間の光ファイバ６ｂの波長分散量を測定することができる。
【００３９】
光伝送システムを構成する全ノードは、上記のように隣接する各ノードに対して、順次、波長分散量測定リクエストを送信しつつ、全ノード間の光ファイバの波長分散量を測定する。その結果、各ノードは、自ノードに接続されている１以上の光ファイバの波長分散量を知ることができる。
【００４０】
図５は、本発明の実施の形態１における各ノードが有する波長分散量管理テーブルの例示図であり、コアノード３を例に示したものである。コアノード３は、エッジノード１およびコアノード４、５と光ファイバ６ａ、６ｂ、６ｃを介してそれぞれ接続されていることから、コアノード３に固有の波長分散量管理テーブルには、これら３つの接続に対応するそれぞれの波長分散量が含まれている。
【００４１】
たとえば、コアノード３のポートＰ３１は、エッジノード１のポートＰ１３と光ファイバ接続されており、その波長分散量は、Ｄ３１であることを示している。さらに、備考は、両ノードが光ファイバ６ａで接続されていることを示している。
【００４２】
次に、各ノードのノード制御部は、制御ネットワーク９を介して、光伝送システム内の全ノードへ自ノードの波長分散量管理テーブルの内容を通知する。その結果、光伝送システム内のそれぞれのノードは、すべてのノードのテーブルを統合した波長分散量管理テーブルを得ることができる。図６は、本発明の実施の形態１における光伝送システム内のすべてのノードを統合した波長分散量管理テーブルである。
【００４３】
次に、各ノード間のリンク単位で求めた波長分散量に基づいて、クライアント装置７が、クライアント装置８へ光パスを設定する場合について説明する。クライアント装置７は、エッジノード１に対して、制御ネットワーク９を介して、クライアント装置８までの光パス設定要求を伝える。エッジノード１内のノード制御部１４は、すべてのノードのテーブルを統合した波長分散量管理テーブルを用いて、空いているパスの中からエッジノード２までの最適な光パス（たとえば、波長分散量の合計が最小となる光パス）を計算・選択する。
【００４４】
次に、ノード制御部１４は、選択した光パスの、より詳細な波長分散量を測定するため、エッジノード１からエッジノード２までの測定用光パスを設定する。測定用光パス設定時には、波長分散量の測定が短時間で行えるように、あらかじめエッジノード１からエッジノード２までの光パスの累積波長分散量を、エッジノード２に通知する。
【００４５】
なお、累積波長分散量は、波長分散量管理テーブルより求めることができ、たとえば、エッジノード１からエッジノード２までの光パスが、コアノード３、４を経由する場合の累積波長分散量Ｄ１２は、Ｄ１３＋Ｄ３４＋Ｄ４２となる。
【００４６】
また、光パスの選択や設定は、ＩＥＴＦ（Ｉｎｔｅｒｎｅｔ  Ｅｎｇｉｎｅｅｒｉｎｇ  Ｔａｓｋ  Ｆｏｒｃｅ）で標準化が進められているＧＭＰＬＳ（Ｇｅｎｅｒａｌｉｚｅｄ  Ｍｕｌｔｉ−Ｐｒｏｔｏｃｏｌ  Ｌａｂｅｌ  Ｓｗｉｔｃｈｉｎｇ）技術によるルーティング、シグナリングにより実現される。
【００４７】
エッジノード１は、エッジノード２との間に、測定用の光パスが設定されると、図４と同様な手順を用いて、光パスの波長分散量を測定する。測定が完了すると、エッジノード１は、エッジノード２までの測定用の光パスを解放し、測定用光パスと同じ経路で通信用の光パスを設定する。
【００４８】
エッジノード１とエッジノード２は、クライアント装置を収容するクライアント収容部１１、２１において、測定した光パスの波長分散量を用いた分散補償を行い、通信を行う。この結果、クライアント装置７とクライアント装置８間における分散補償された光パスが実現できる。
【００４９】
以上のように、実施の形態１によれば、コアノードに光スイッチを搭載することにより、複数のノードの中から波長分散量を測定すべき所望のノードを選択できる。この結果、波長分散量を測定する波長分散量測定部は、ノードに１つだけ備えていればよく、測定用のコストを抑えることが可能となる。
【００５０】
さらに、波長分散量の測定を、リンク単位と光パス単位の二段階にすることができる。すなわち、光パス単位の測定前に、リンク単位の測定結果を累積した波長分散量がわかっているので、測定範囲を絞り込むことが可能となり、測定時間を短くすることができる。
【００５１】
なお、上述の実施の形態においては、送信端ノードから、累積波長分散量の通知を行っているが、受信端ノード側でも求めることができる。具体的には、設定された光パス経路から、自ノードの波長分散量管理テーブルを用いて、累積波長分散量を求めることができる。
【００５２】
また、上述の実施の形態においては、コアノードにはクライアント収容部がなかったが、コアノードとエッジノードが融合したノードにおいても、同様の効果が得られる。
【００５３】
また、上述の実施の形態においては、波長分散量の測定を、送信側と受信側における２つの波長分散量測定部を用いて行っていたが、光スイッチで折り返すことにより、１つの波長分散量測定部でも、同様の効果が得られる。
【００５４】
また、上述の実施の形態においては、波長分散量の測定手順として、図４に記載する手順について記載したが、ＩＥＴＦで標準化が進められているリンク管理プロトコル（ＬＭＰ：Ｌｉｎｋ  Ｍａｎａｇｅｍｅｎｔ  Ｐｒｏｔｏｃｏｌ）の手順を拡張することでも実現でき、同様の効果が得られる。
【００５５】
また、上述の実施の形態においては、ノード間の波長分散量の測定タイミングについては記載していなかったが、例えば、ノード立上げ時に、隣接する全ノードに対して、順次、波長分散量測定リクエストを送信することにより、自動的に、波長分散量の測定が可能となる。
【００５６】
また、上述の実施の形態においては、隣接ノードとの光ファイバが接続されていることを前提に記載したが、光ファイバの接続状態を監視し、ファイバが接続されると波長分散量の測定を開始することにより、新たな光ファイバの波長分散量を、自動的に測定することが可能となる。
【００５７】
また、上述の実施の形態においては、ノード間の波長分散量の測定について、一度だけ測定する場合について記述したが、定期的に波長分散量を測定することにより、光ファイバの交換などで、波長分散量に大きな変化が発生しても、自動的に対応することが可能となる。
【図面の簡単な説明】
【００５８】
【図１】本発明の実施の形態１における光伝送システムの構成図である。
【図２】本発明の実施の形態１におけるエッジノードの詳細構成図である。
【図３】本発明の実施の形態１におけるコアノードの詳細構成図である。
【図４】本発明の実施の形態１におけるコアノード間の波長分散量の測定手順を示した図である。
【図５】本発明の実施の形態１におけるコアノードが有する波長分散量管理テーブルの例示図である。
【図６】本発明の実施の形態１における光伝送システム内のすべてのノードの波長分散量管理テーブルである。
【符号の説明】
【００５９】
１、２  エッジノード、３、４、５  コアノード、６ａ〜６ｅ  光ファイバ、７、８  クライアント装置、９  制御ネットワーク、１１、２１  クライアント収容部、１２、２２  波長分散量測定部、１３、２３  光合分波器、１４、２４  ノード制御部、３１、４１、５１  光スイッチ（選択手段）、３２、４２、５２  波長分散量測定部、３３、４３、５３  光合分波器、３４、４４、５４  ノード制御部。
【図１】
0004745097.tif 000002
【図２】
0004745097.tif 000003
【図３】
0004745097.tif 000004
【図４】
0004745097.tif 000005
【図５】
0004745097.tif 000006
【図６】
0004745097.tif 000007